【事件の表示】
　特許第３１３０３９９号「インクジェットプリント用インク組成物」の請求項１ないし３に係る特許に対する特許異議の申立てについて、次のとおり決定する。
【結　論】
　訂正を認める。
　特許第３１３０３９９号の請求項１ないし３に係る特許を維持する。
【理　由】
１．手続の経緯
　
　本件特許第３１３０３９９号の請求項１ないし３に係る発明についての出願は、平成４年１２月１６日に出願され、平成１２年１１月１７日にその特許の設定登録がなされ、その後、東レ株式会社（以下、「異議申立人」という。）より特許異議の申立てがあり、取消理由通知後、その指定期間内である平成１４年４月１０日に訂正請求がなされたものである。
　
２．訂正の適否についての判断
　
（１）訂正の内容
　
　訂正請求は、本件特許明細書を訂正請求書に添付した訂正明細書のとおりに訂正しようとするものであって、その訂正の内容は次の（ａ）〜（ｄ）のとおりである。
（ａ）特許請求の範囲の請求項１において、一般式（１）で示される分散染料のうち「Ａ」の定義から残基の一部を削除し、請求項１を次のように訂正する。
「【請求項１】一般式（１）で示される分散染料の少なくとも一種を含む疎水性繊維用のインクジェットプリント用インク組成物。
【化１】
（式中、Ａは水溶性基を有しない次式の残基
【化２】
             
（式中Ｒ1 はアルキル基、テトラヒドロフルフリル基、アルコキシアルキル基またはアルコキシアルコキシアルキル基を表す。）を、Ｚは水素原子、アルキル基、アルコキシアルキル基またはアルコキシアルコキシアルキル基を表す。ここでアルキル基及びアルコキシの意味は炭素数が１個ないし６個のものを表すものとする。）」
（ｂ）明細書段落［００１３］において
「
                                                                    　　　　　　　　　　　　　　　　　　　　 」
とあるのを
「
     　　　　　　　　　　　　　　　 」
と訂正する。
（ｃ）明細書の段落［００１４］において、
「（式中Ｒ1 はアルキル基、テトラヒドロフルフリル基、アルコキシアルキル基またはアルコキシアルコキシアルキル基を、Ｒ２はアルキル基またはフェニル基を表す。）を、Ｚは水素原子、アルキル基、アルコキシアルキル基またはアルコキシアルコキシアルキル基を表す。ここでアルキル基及びアルコキシの意味は炭素数が１個ないし６個のものを表すものとする。）で示される分散染料の少なくとも一種と、水、親水性有機溶剤、陰イオン界面活性剤及び／または非イオン界面活性剤を含有することを特徴とするインクジェットプリント用インク組成物である。」とあるのを
「（式中Ｒ1 はアルキル基、テトラヒドロフルフリル基、アルコキシアルキル基またはアルコキシアルコキシアルキル基を表す。）を、Ｚは水素原子、アルキル基、アルコキシアルキル基またはアルコキシアルコキシアルキル基を表す。ここでアルキル基及びアルコキシの意味は炭素数が１個ないし６個のものを表すものとする。）で示される分散染料の少なくとも一種と、水、親水性有機溶剤、陰イオン界面活性剤及び／または非イオン界面活性剤を含有することを特徴とするインクジェットプリント用インク組成物である。」と訂正する。
（ｄ）明細書の段落［００３５］の［表１］において、実施例３、４、５及び６のすべてを削除し、実施例７、８、９、１０および１１の番号を３、４、５、６及び７に繰り上げる。
　
（２）訂正の目的の適否、新規事項の有無及び拡張・変更の存否
　
　上記（ａ）の訂正は、一般式（１）で示される分散染料に包含されるものの範囲を限定しようとするものであるから、特許請求の範囲の減縮を目的とするものであり、（ｂ）、（ｃ）、（ｄ）の各訂正は、（ａ）の訂正に伴い、明細書の「発明の詳細な説明」の記載を特許請求の範囲の記載に整合させるための訂正であるから明りょうでない記載の釈明を目的とするものである。
  そして、訂正（ａ）により限定された分散染料は、願書に添付した明細書の明細書段落［００１３］及び実施例に記載されていたものであるから、いずれも、新規事項を追加するものではなく、実質的に特許請求の範囲を拡張又は変更するものではない。
　
（３）むすび
　
　以上のとおりであるから、上記訂正は、特許法第１２０条の４第３項において準用する平成６年法律第１１６号による改正前の特許法第１２６条第１項ただし書、第２項の規定に適合するので、当該訂正を認める。
　
３．特許異議申立についての判断
　
（１）本件発明
　
　上記のとおり、訂正が認められるので、本件請求項１ないし３に係る発明（以下、「本件発明１ないし３」という。）は、訂正明細書の特許請求の範囲請求項１ないし３に記載されたとおりのものであり、請求項１に係る発明は上記２．（１）訂正の内容（ａ）に記載したとおりである。
　
（２）異議申立の理由の概要
　
　異議申立人は、証拠として、甲第１号証及び甲第２号証を提示し、訂正前の請求項１ないし３に係る発明は、甲第１号証及び甲第２号証に記載された発明に基づいて当業者が容易に発明をすることができたものであるから、当該請求項１ないし３に係る特許は、特許法第２９条第２項の規定に違反してなされたものであり、取り消されるべきものであると主張している。
　
（３）当審で通知した取消しの理由
　
　当審における取消理由通知の内容は、訂正前の請求項１ないし３に係る発明は、甲第２号証を参酌すれば甲第１号証に記載された発明であるから、当該請求項１ないし３に係る特許は、特許法第２９条第１項の規定に違反してなされたものである、というものである。
　
（４）甲号各証に記載の発明
　
　甲第１号証である特開昭６１−１１８４７３号公報には、「分散染料および媒体からなり、その表面張力が３５〜６０ｄｙｎｅ／ｃｍの範囲にあることを特徴とするインクジェット記録用インク組成物」（特許請求の範囲）に係る発明が記載され、「本発明は、インクジェット記録用組成物に関し、特に、ポリエステル、アセテート等の合成樹脂からなる被記録材、更に好適には、これらの合成樹脂繊維からなる織布或いは不織布の捺染に適したインクジェット記録用インク組成物に関する。」（第１頁左欄下から１０〜５行）と記載され、「本発明において使用する分散染料とは、それ自体公知の材料であり、繊維の染色あるいは昇華転写技術において広く使用されている水不溶性のアゾ系、アントラキノン系その他の染料である。これらの分散染料は、その構造中にスルホン酸基やカルボキシル基の如き水溶性の基を有さず、且つ分子量がある程度の範囲に入り、水中分散体として繊維あるいは織布に適用した後あるいは適用中に８０〜２５０℃の温度により主としてポリエステル、アセテートの如き合成繊維に染着するものである。本発明においては、これら従来公知の分散染料はいずれも使用することができ、本発明において好ましい分散染料としては、Ｃ．Ｉ．ディスパーズイエロー３、・・・・、１１４、・・・等があげられる。」（第２頁右上欄１８行〜第３頁右上欄第１６行）と記載されている。また、「本発明において上記の如き分散染料を分散または溶解させる媒体としては、・・・・例えば、水および／または水溶性の有機溶剤が好ましいものであり、例えば・・・・ポリエチレングリコール、ポリプロピレングリコール等のポリアルキレングリコール類；エチレングリコール、・・・・・等のアルキレン基が２〜６個の炭素原子を含むアルキレングリコール類；グリセリン；・・・；Ｎ−メチル−２−ピロリドン、１，３ジメチル−２−イミダゾリジノン等が挙げられる。」（３頁右上欄下から４行〜右下欄５行）と、さらに「本発明のインク組成物の必須成分は上記の通りであるが、その他従来公知の各種の分散剤、界面活性剤、・・・・を必要に応じて添加することができる。必要に応じて添加し得る分散剤あるいは界面活性剤としては、・・・、ナフタレンスルホン酸ホルマリン縮合物、・・・・等のアニオン系分散剤若しくは界面活性剤；・・・・・オキシエチレンオキシプロピレンブロックコポリマー等のノニオン系分散剤あるいは界面活性剤が重要である。」（３頁右下欄下から６行〜４頁左上欄１４行）と説明されている。
　甲第２号証である「工業用色素の技術と市場」第１章染料Ｐ．１〜１９（昭和５８年１２月２６日（株）シーエムシー発行）には、分散染料「Ｃ．Ｉ．Ｄｉｓｐｅｒｓｅ　Ｙｅｌｌｏｗ　１１４」の化学構造式が示されている。
　
（５）対比・判断
　
　本件発明１と甲第１号証に記載された発明を比較すると、両者とも「分散染料の少なくとも一種を含む疎水性繊維用のインクジェットプリント用インク組成物」という点では一致する。しかし、甲第１号証には、訂正後の本件発明１の一般式（１）で示される分散染料は記載されていない。
（なお、訂正前の本件請求項１に記載の一般式（１）で示される分散染料は、「Ｃ．Ｉ．ディスパーズイエロー１１４」を含むものであったが、上記の訂正により削除されたので、本件発明１は甲第１号証に記載された発明ではなくなった。）
　また、甲第１号証には、使用できる分散染料として「分散染料は、その構造中にスルホン酸基やカルボキシル基の如き水溶性の基を有さず、且つ分子量がある程度の範囲に入り、水中分散体として繊維あるいは織布に適用した後あるいは適用中に８０〜２５０℃の温度により主としてポリエステル、アセテートの如き合成繊維に染着するものである。本発明においては、これら従来公知の分散染料はいずれも使用することができ、」と説明されている。　そして、本件発明１の一般式（１）で示される分散染料は公知の分散染料であり、しかも、上記の説明にある、「その構造中にスルホン酸基やカルボキシル基の如き水溶性の基を有さず、且つ分子量がある程度の範囲に入り、水中分散体として繊維あるいは織布に適用後あるいは適用中に８０〜２５０℃の温度により主としてポリエステル、アセテートの如き合成繊維に染着するもの」ではあるが、本件発明１は、長期にわたり分散安定性に優れたインク組成物を得るという甲第１号証の発明とは異なる目的のために特定の分散染料を選定したものであり、その効果は予測できるものではないので、本件発明１は甲第１号証に記載された発明に基いて、あるいはこれと甲第２号証の記載を合せ考慮しても、当業者が容易に発明をすることができるものとは認められない。
  また、本件発明２及び３は、本件発明１をさらに特定したものであるから、同様に、甲第１号証に記載された発明でもなければ、そこから、あるいはこれと甲第２号証を合せ考慮しても、当業者が容易に発明をすることができるものでもない。
　
（６）むすび
　
　以上のとおりであるから、当審での取消の理由、特許異議申立ての理由および証拠をもっては、本件発明１ないし３に係る特許を、取り消すことはできない。
　また、他に該特許を取り消すべき理由を発見しない。
  よって、結論のとおり決定する。
【異議決定日】
平成１４年１１月２８日（２００２．１１．２８）
【訂正の要旨】
訂正の要旨
（ａ）特許請求の範囲の請求項１において、一般式（１）で示される分散染料のうち「Ａ」の定義から残基の一部を削除し、請求項１を次のように訂正する。
「【請求項１】一般式（１）で示される分散染料の少なくとも一種を含む疎水性繊維用のインクジェットプリント用インク組成物。
　【化１】
（式中、Ａは水溶性基を有しない次式の残基
　【化２】
（式中Ｒ１はアルキル基、テトラヒドロフルフリル基、アルコキシアルキル基またはアルコキシアルコキシアルキル基を表す。）を、Ｚは水素原子、アルキル基、アルコキシアルキル基またはアルコキシアルコキシアルキル基を表す。ここでアルキル基及びアルコキシの意味は炭素数が１個ないし６個のものを表すものとする。）」
（ｂ）明細書段落［００１３］において
「
　」
とあるのを
「
　」
と訂正する。
（ｃ）明細書の段落［００１４］において、
「（式中Ｒ１はアルキル基、テトラヒドロフルフリル基、アルコキシアルキル基またはアルコキシアルコキシアルキル基を、Ｒ２はアルキル基またはフェニル基を表す。）を、Ｚは水素原子、アルキル基、アルコキシアルキル基またはアルコキシアルコキシアルキル基を表す。ここでアルキル基及びアルコキシの意味は炭素数が１個ないし６個のものを表すものとする。）で示される分散染料の少なくとも一種と、水、親水性有機溶剤、陰イオン界面活性剤及び／または非イオン界面活性剤を含有することを特徴とするインクジェットプリント用インク組成物である。」とあるのを
「（式中Ｒ１はアルキル基、テトラヒドロフルフリル基、アルコキシアルキル基またはアルコキシアルコキシアルキル基を表す。）を、Ｚは水素原子、アルキル基、アルコキシアルキル基またはアルコキシアルコキシアルキル基を表す。ここでアルキル基及びアルコキシの意味は炭素数が１個ないし６個のものを表すものとする。）で示される分散染料の少なくとも一種と、水、親水性有機溶剤、陰イオン界面活性剤及び／または非イオン界面活性剤を含有することを特徴とするインクジェットプリント用インク組成物である。」と訂正する。
（ｄ）明細書の段落［００３５］の［表１］において、実施例３、４、５及び６のすべてを削除し、実施例７、８、９、１０および１１の番号を３、４、５、６及び７に繰り上げる。
（５４）【発明の名称】
インクジェットプリント用インク組成物
（５７）【特許請求の範囲】
　【請求項１】一般式（１）で示される分散染料の少なくとも一種を含む疎水性繊維用のインクジェットプリント用インク組成物。
　【化１】
（式中、Ａは水溶性基を有しない次式の残基
　【化２】
（式中Ｒ１はアルキル基、テトラヒドロフルフリル基、アルコキシアルキル基またはアルコキシアルコキシアルキル基を表す。）を、Ｚは水素原子、アルキル基、アルコキシアルキル基またはアルコキシアルコキシアルキル基を表す。ここでアルキル基及びアルコキシの意味は炭素数が１個ないし６個のものを表すものとする。ここでアルキル基及びアルコキシの意味は炭素数が１個ないし６個のものを表すものとする。）
　【請求項２】水及び親水性有機溶剤を含有する請求項１のインクジェットプリント用インク組成物。
　【請求項３】陰イオン界面活性剤及び／または非イオン界面活性剤を含有する請求項１のインクジェットプリント用インク組成物。
【発明の詳細な説明】
　【０００１】
　【産業上の利用分野】
　本発明は、分散染料のインクジェットプリント用インク組成物に関するものである。
　特に、ポリエステル、アセテート等の疎水性繊維からなる織布や不織布あるいはこれらの繊維と他の繊維からなる混紡織布の捺染に適したインクジェットプリント用インク組成物に関する。
　【０００２】
　【従来の技術】
　従来から、インク液滴を微小の吐出オリフィスから飛翔させてプリントを行ういわゆる、インクジェットプリント方式が知られている。
　この様なプリント法には、種々の法式が提案されている。例えば、ピエゾ振動子を有するプリンターヘッドに信号を与え、該信号に応じてインクの液滴を発生させてプリントするものや、インクを静電吸引し、発生した液滴を信号に応じて電界制御し、プリントを行うもの、連続振動発生法によって帯電量が制御された液滴を発生させ、該液滴を一様の電界が印加された偏向電極間を飛翔させてプリントを行うものなど多くの方式が知られている。
　【０００３】
　この様なインクジェットプリント方式は、インクの液滴（ｄｒｏｐｌｅｔ）を飛翔させ、これを被染物に付着させてプリントを行うものである。かかるインクは、色材及びこれを分散する液媒体（水または各種有機溶剤あるいはこれらの混合物が用いられる）を基本成分とし、また必要に応じて各種添加剤を含有してもよい。
　【０００４】
　この種のインクの好ましい条件としては、吐出オリフィスを目詰まりさせないこと、吐出に適した液物性（粘度、表面張力、電導度等）を有していること、保存中に物性変化或は固形分が発生しないこと、高い濃度の被染物を与えること、被染物に対して定着が速く、インクのにじみが小さいこと、また耐水性、耐光性が優れていること、臭気、毒性が少なく、引火性等の安全性に優れていること等が挙げられる。
　【０００５】
　かかる目的のプリントに適用するインクは、前記のように基本的には染料とその溶媒とから組み合わされるものであるから、上記インクの特性は染料及び液媒体として用いられる成分の有する固有の性質に左右されるところが大きい。従って、インクが上記諸特性を具備するよう染料及び液媒体を選択することはかかる技術分野に於て極めて重要な技術である。
　【０００６】
　更に、最近の環境面からの社会的要求でもある、染色後の廃水のＢＯＤ、ＣＯＤ負荷量の低減である。インクジェットプリント方式により捺染糊の大幅削減が可能となったが、インク側自体も排水負荷量の小さいものであることが望ましい。
　即ち、各種添加剤の添加量が少なくて、染料は高濃度で長期にわたって貯蔵安定性が良いことが望まれ、このような面からも染料及び液媒体を選択することは益々重要な技術である。
　【０００７】
　また、インクジェットプリントでは、通常三原色（黄、赤、青）は鮮明な色相であることが要求される。更に、繊維上にプリントを行う為に使用する染料に染色特性、例えば染色再現性、各種堅牢度、白場汚染性等にも優れていることが要求される。
　【０００８】
　係る観点から分散染料を用いるインクジェットプリント用インクが提案されている。例えば有機溶剤中に分散染料を溶解させたもの（特公昭５４ー２１７６６号公報、特開昭６０ー７５６９３号公報）、或は水に分散染料を分散させたタイプのもの（特開昭６０−７５６９２号公報、６０−１３３０７６号公報、特公昭６２−５７７５０号公報、特開平４ー３３３０９号公報等）等がある。
　【０００９】
　しかしながら溶解タイプのインクは分散染料の溶解性が低く、染料濃度の高いインク組成物の製造が困難であり、また分散タイプのインク組成物は分散安定性の点でまだ充分に問題点が解決されていない。
　【００１０】
　【発明が解決しょうとする課題】
　本発明の目的は、長期にわたって分散安定性に優れ、更にインクジェットプリント適性が優れ、かつ鮮明で染色特性の優れたインクジェットプリント用インク組成物を提供することにある。
　【００１１】
　【課題を解決するための手段】
　本発明者らは前記したような問題点を解決すべく鋭意研究を重ねた結果、本発明に至ったものである。即ち、本発明は、式（１）
　【００１２】
　【化３】
　
　【００１３】
（式中、Ａは水溶性基を有しない次式の残基
　【化４】
　【００１４】
（式中Ｒ１はアルキル基、テトラヒドロフルフリル基、アルコキシアルキル基またはアルコキシアルコキシアルキル基を表す）を、Ｚは水素原子、アルキル基、アルコキシアルキル基またはアルコキシアルコキシアルキル基を表す。ここでアルキル基及びアルコキシの意味は炭素数が１個ないし６個のものを表すものとする。）
で示される分散染料の少なくとも一種と、水、親水性有機溶剤、陰イオン界面活性剤及び／または非イオン界面活性剤を含有することを特徴とするインクジェットプリント用インク組成物である。
　【００１５】
　本発明で使用される前記式（１）で示される染料は特公昭５９ー３５９３４号等により公知である。式（１）の染料は疎水性繊維、例えばポリエチレンテレフタレート繊維を鮮明な黄色に染色することが知られている。
　【００１６】
　本発明のインク組成物中、前記式（１）で示される分散染料の使用量は、インク液全重量に対して１〜３０重量％、好ましくは２〜２０重量％の範囲である。また本発明のインク組成物の液媒体として水と親水性有機溶剤とを含む液媒体が用いられる。ここで親水性有機溶剤は不乾性剤としての効果を有しており乾燥により固形物の発生を防止する役目を持つものであり、且つインク組成物の粘度調整の役目も持つものが選ばれる。
　【００１７】
　親水性溶剤として、例えば、ポリエチレングリコール、ポリプロピレングリコール等のポリアルキレングリコール類；エチレングリコール、プロピレングリコール、ブチレングリコール等のアルキレングリコール；グリセリン；Ｎーメチルー２ーピロリドン、１、３ージメチルー２ーイミダゾリジノン等の含窒素複素環式ケトン類等の一種以上を液媒体成分として使用することが出来る。
　【００１８】
　インク組成物中の上記親水性有機溶剤の含有量は、一般にはインク液全重量に対して１〜２０重量％、好ましくは２〜１０重量％の範囲である。
　【００１９】
　本発明に使用される陰イオン界面活性剤としては、具体的には例えば、リグニンスルホン酸塩類、ナフタレンスルホン酸塩のホルマリン縮合物、アルキルナフタレンスルホン酸塩のホルマリン縮合物、特殊芳香族スルホン酸塩類のホルマリン縮合物等が挙げられる。また非イオン界面活性剤としては、エチレンオキサイドとプロピレンオキサイドとのブロック共重合物、アルキルフェノールのエチレンオキサイド付加物等が挙げられる。但しこれらに限定されるものではない。
　【００２０】
　上記の如き界面活性剤は単独でも混合物でも使用できる。またその使用量はインク組成物全重量に対して３〜５０重量％、好ましくは５〜２５重量％の範囲である。
　【００２１】
　本発明のインク組成物をインクジェット方式に適用するには前記式（１）で示される分散染料に上記の界面活性剤の一種或は混合物と水を加えボールミル或はサンドミル等を用いて充分に湿式粉砕し染料の粒子径を５ミクロン以下、好ましくは０．５ミクロン以下程度にし、水及び親水性有機用剤を用いて所望の染料濃度に希釈した後、粒子径の大きい染料、ゴミ、異物等を必要に応じてフィルターを通すことにより除去して使用に供される。
　【００２２】
　このようにして調整された本発明のインクジェットプリント用インク組成物は、種々の特性の中でも特に安定性、長期保存性に優れ、吐出オリフィスを目詰まりさせない等の点で特徴がある。尚、防菌、防かび剤（例えば武田薬品製のデルトップ等）を添加する場合は、濾過前の段階で添加してもよい。
　【００２３】
　【実施例】
　実施例により本発明を具体的に説明するが、本発明がこれらの実施例のみに限定するものではない。尚実施例中、％及び部とあるのは重量基準である。
　【００２４】
実施例１
　ジアゾ化、カップリングの公知方法により合成して得た下記式（２）
　【００２５】
で示される分散染料の原体１５部、ナフタレンスルホン酸ナトリウムのホルマリン縮合物９部、リグニンスルホン酸ナトリウム９部と水５０部をガラスビーズ１００容量部の存在下サンドミルで２４時間湿式粉砕を行い微粒子化した。ガラスビーズを濾過により除き分散液６５部を得た。これにエチレンオキサイドとプロピレンオキサイドのブロック共重合物１．２部、グリセリン７．８部及び水４３部を加え染料濃度１０％のインク組成物を得た。これをさらに１０ミクロンのフィルターを通過させて染料粒子の大きいもの、異物等を除きインクジェットプリント用の平均粒子径０．５ミクロンの１０％インク組成物を得た。
　【００２６】
　本実施例により得たインクジェットプリント用インク組成物は、常温または低温（摂氏０℃）においても一ヶ月以上凝集或は沈澱せず良好な安定性を示した。
　【００２７】
　上記実施例により得たインクを使用して、オンデマンド型インクジェットプリンターにて、前処理したポリエチレンテレフタレート繊維に印捺し、８０℃で乾燥後、１７０℃の過熱蒸気中で７分間保持し、水洗、還元洗浄し水洗、乾燥を行った。印捺した部分が鮮明な黄色に発色した染色物が得られた。これはにじみも全く無いきれいな染色物であった。
　【００２８】
実施例２
　実施例１と同様に合成して得た下記式（３）
　【００２９】
で示される染料の原体１７部、ナフタレンスルホン酸ナトリウムのホルマリン縮合物２０部、リグニンスルホン酸ナトリウム８部と水５０部をガラスビーズ１００容量部の存在下サンドミルで３６時間湿式粉砕を行い微粒子化した。ガラスビーズを濾過により除き分散液６８部を得た。これにエチレンオキサイドとプロピレンオキサイドとのブロック共重合物１部、エチレングリコール１０部及びイオン交換水８４部を加え平均粒径０．３ミクロンの８％のインク組成物を得た。
　【００３０】
　本実施例により得たインクジェットプリント用インク組成物は、常温または低温（摂氏０℃）においても一ヶ月以上凝集或は沈澱せず良好な安定性を示した。
　【００３１】
　上記実施例により得たインクを使用して、オンデマンド型インクジェットプリンターにて、前処理したポリエチレンテレフタレート繊維に印捺し、８０℃で乾燥後、１７０℃の過熱蒸気中で７分間保持し、水洗、還元洗浄し水洗、乾燥を行った。印捺した部分が鮮明な黄色に発色した染色物が得られた。これはにじみも全く無いきれいな染色物であった。
　【００３２】
実施例３〜７
　公知方法により下記式（４）
　【００３３】
　【００３４】
で表され、Ａ及びＺが次表にて示されるような構造を持つ化合物を合成し、実施例１或は２と同様にインク組成物を作成しこれらのインクを用いて、オンデマンド型インクジェットプリンターにて、前処理済みのポリエステル繊維に印捺し、にじみの全く無い鮮明黄色に発色した染色物が得ることが出来る。
　【００３５】
　【表１】
　【００３６】
　【発明の効果】
　長期間保存しても分散安定性に優れ、疎水性繊維に対するインクジェットプリント適性に優れ且つ鮮明な黄色の捺染物を与える有用なインク組成物が得られた。